(57)【要約】【課題】  落下の虞がなく、またケーブルを傷つけることなく簡単に装着可能なケーブル標識札を提供する。【解決手段】  ケーブルに装着するケーブル標識札であって、軸方向に沿って半割りにした２個の半割筒状部材１ａ，１ｂの一端部同士を軸方向に伸びるヒンジ構造２を介して連結することにより両半割筒状部材１ａ，１ｂの他端部間を開閉し得るように構成するとともに外周面に所定の標識情報を記載した筒状標識部材１と、前記他端部間を閉じた状態でロックするロック手段Ａと、各半割筒状部材１ａ，１ｂの両端部における内周面に貼り付け、ケーブルへの装着時にはそれぞれのケーブルとの当接部が前記ケーブルの外周面形状に沿うように変形する弾性部材３，４とを有する。【選択図】図１
2009201301.tif 000002
【特許請求の範囲】
【請求項１】
ケーブルに装着するケーブル標識札であって、
軸方向に沿って半割りにした２個の半割筒状部材の一端部同士を軸方向に伸びるヒンジ構造を介して連結することにより前記両半割筒状部材の他端部間を開閉し得るように構成するとともに外周面に所定の標識情報を記載した筒状標識部材と、
前記他端部間を閉じた状態でロックするロック手段と、
前記各半割筒状部材の少なくとも両端部における内周面に貼り付け、ケーブルへの装着時にはそれぞれのケーブルとの当接部が前記ケーブルの外周面形状に沿うように変形する弾性部材とを有することを特徴とするケーブル標識札。
【請求項２】
請求項１に記載するケーブル標識札において、
前記ロック手段は、一方の前記半割筒状部材の他端部から遠心方向に突出する平板状の鍔部に配設した錐状頭部を有する凸部と、他方の前記半割筒状部材の他端部から遠心方向に突出する平板状の鍔部に配設した孔とを有し、前記凸部を前記孔に挿入することによりロックするように構成したものであることを特徴とするケーブル標識札。
【発明の詳細な説明】
【技術分野】
【０００１】
本発明はケーブル標識札に関し、特に通信ケーブル等に装着してその管轄等を表示する場合の標識札として有用なものである。
【背景技術】
【０００２】
従来より通信ケーブルに標識札を装着してその管轄等を表示することが行われている。従来技術に係るこの種のケーブル標識札は、耐候性、耐衝撃性等に優れた塩化ビニル板等に管轄、所有者、目的等、所定の情報を記載して紐、バインド線等によりケーブルに取り付けていた。
【０００３】
この種の標識を開示するものとして送電線との離隔距離をクレーン等の作業者に明示して接触事故等を未然に防止することを目的とした特許文献１がある。また、経時変化によって印字が劣化せず、安価に形成できる配線用マークバンドを開示するものとして特許文献２がある。
【特許文献１】実用新案登録第３１０７２３７号公報
【特許文献２】特開２００４−２８２９３３号公報
【発明の開示】
【発明が解決しようとする課題】
【０００４】
しかしながら、上述の如き従来技術においては、強風地帯ではケーブル標識札が揺られて紐が切れ、落下する等の問題を生じていた。また、バインド線を使用した取り付けではケーブルに傷をつけずに確実に固着する必要があるため、作業に熟練と時間を要していた。さらに、バインド線を巻きつける方法では標識札が動いてしまう虞があった。
【０００５】
本発明は、上記従来技術に鑑み、落下の虞がなく、またケーブルを傷つけることなく簡単に装着可能なケーブル標識札を提供することを目的とする。
【課題を解決するための手段】
【０００６】
上記目的を達成するための本発明の第１の態様は、
ケーブルに装着するケーブル標識札であって、
軸方向に沿って半割りにした２個の半割筒状部材の一端部同士を軸方向に伸びるヒンジ構造を介して連結することにより前記両半割筒状部材の他端部間を開閉し得るように構成するとともに外周面に所定の標識情報を記載した筒状標識部材と、
前記他端部間を閉じた状態でロックするロック手段と、
前記各半割筒状部材の少なくとも両端部における内周面に貼り付け、ケーブルへの装着時にはそれぞれのケーブルとの当接部が前記ケーブルの外周面形状に沿うように変形する弾性部材とを有することを特徴とするケーブル標識札にある。
【０００７】
本発明の第２の態様は、
上記第１の態様に記載するケーブル標識札において、
前記ロック手段は、一方の前記半割筒状部材の他端部から遠心方向に突出する平板状の鍔部に配設した錐状頭部を有する凸部と、他方の前記半割筒状部材の他端部から遠心方向に突出する平板状の鍔部に配設した孔とを有し、前記凸部を前記孔に挿入することによりロックするように構成したものであることを特徴とするケーブル標識札にある。
【発明の効果】
【０００８】
本発明によれば、弾性部材を介して半割筒状部材でケーブルを挟むだけで当該ケーブル標識札を固定することができるので、特別な熟練を要することなく誰でも容易に装着作業を行うことができる。また、紐等による固定ではないので、一度固定すれば落下する虞もなく、位置ずれを生起することもない。
【発明を実施するための最良の形態】
【０００９】
以下本発明の実施の形態を図面に基づき詳細に説明する。  
【００１０】
図１は、本形態に係るケーブル標識札を示す図で、（ａ）は斜視図、（ｂ）は一方の半割筒状部材を示す側面図、（ｃ）はロック手段を抽出・拡大して示す断面図である。これらの図に示すように、筒状標識部材１は、軸方向に沿って半割りにした２個の半割筒状部材１ａ，１ｂの一端部同士を軸方向に伸びるヒンジ構造２を介して連結してある。この結果、両半割筒状部材１ａ，１ｂの他端部間はヒンジ構造２を回動中心として開閉し得るようになっている。ここで、筒状標識部材１の外周面には所定の標識情報（本形態の場合は「○○電力所」）が表示してある。標識情報に特別な制限はないが、当該ケーブル標識札を装着するケーブルの管轄、所有者、目的等を表すものを一例として挙げることができる。
【００１１】
弾性部材３は、半割筒状部材１ａの両端部における内周面に、また弾性部材４は半割筒状部材１ｂの両端部における内週面にそれぞれ貼り付けられている。かくして、本形態に係るケーブル標識札のケーブル（図１には図示せず）への装着時には弾性部材３，４のケーブルとの当接部が前記ケーブルの外周面形状に沿うように変形するようになっている。この弾性部材３は、太陽光乃至風雨に晒される部分であるので、耐候性を有する材料で構成するのが好ましい。
【００１２】
ロック手段Ａは、特にこの部分を抽出して図１（ｃ）に詳細に示すように、錐状頭部を有する凸部５と孔６とを有してなり、凸部５を孔６に挿入することによりロックするように構成したものである。さらに詳言すると、半割筒状部材１ａの他端部には遠心方向に突出する平板状の鍔部１ｃが、また半割筒状部材１ｂの他端部には遠心方向に突出する平板状の鍔部１ｄが一体的に連結させてある。本形態における各３個の凸部５は鍔部１ｃに配設されるとともに、対応する３個の孔６は鍔部１ｄに配設されている。
【００１３】
かかるケーブル標識札は、図２（ａ）及び図２（ｂ）に示すような態様で使用される。すなわち、図２（ａ）はケーブル７ａが吊線７ｂに吊られている吊線付ケーブル７の場合、図２（ｂ）は通常のケーブル８の場合である。本形態に係る筒状標識部材１の装着時には、何れの場合も半割筒状部材１ａ，１ｂの他端部を開いた状態で弾性部材３，４を吊線付ケーブル７乃至ケーブル８に両側から当接させた後、半割筒状部材１ａ，１ｂの他端部を閉じるとともに凸部５を孔に挿入することにより閉状態にロックする。このことにより、前述の如く弾性部材３，４が吊線付ケーブル７乃至ケーブル８の外周面形状に沿うように変形する。この結果、本形態に係るケーブル標識札は隙間なく吊線付ケーブル７乃至ケーブル８に装着される。
【産業上の利用可能性】
【００１４】
本発明はケーブルに装着する標識札を製造・販売する産業分野で有効に利用することができる。
【図面の簡単な説明】
【００１５】
【図１】本発明の実施の形態に係るケーブル標識札を示す図で、（ａ）は斜視図、（ｂ）は一方の半割筒状部材を示す側面図、（ｃ）はロック手段を抽出・拡大して示す断面図である。
【図２】本発明の実施の形態に係るケーブル標識札をケーブルに装着した状態を示す斜視図である。
【符号の説明】
【００１６】
１            筒状標識部材
１ａ，１ｂ        半割筒状部材
１ｃ，１ｄ        鍔部
２            ヒンジ構造
３，４          弾性部材
５            凸部
６           孔
７          吊線付ケーブル
８          ケーブル
【図１】
2009201301.tif 000003
【図２】
2009201301.tif 000004